(57)【要約】【課題】信号監視システムを提供する。【解決手段】信号監視システムにおいて、回路は入力端子と出力端子とを含む。さらに、回路に接続されたプロセッサは、入力端子における入力信号と、出力端子における出力信号との間のレベル差を所定レベルに設定することによって、回路の誤差要因を示すパラメータを計算する動作が可能である。【選択図】図１Ａ
2011138504.tif 000002
【特許請求の範囲】
【請求項１】
第１入力端子と第１出力端子とを備える回路と、
前記回路に結合され、前記第１入力端子における第１入力信号と前記第１出力端子における第１出力信号との間のレベル差を第１の所定レベルに設定することによって前記回路の誤差要因を示すパラメータを計算するプロセッサと、
を備えるシステム。
【請求項２】
前記プロセッサは、前記第１入力信号と前記回路の第２入力端子における第２入力信号との間のレベル差を第２の所定レベルに設定することによって前記パラメータを計算する請求項１に記載のシステム。
【請求項３】
前記プロセッサは、前記パラメータに従って、かつ、前記第１出力信号と前記回路の第２出力端子における第２出力信号との間のリアルタイムなレベル差に従って、前記第１入力信号と前記回路の第２入力端子における第２入力信号との間のリアルタイムなレベル差を計算する請求項１に記載のシステム。
【請求項４】
前記回路は、第１抵抗器を介して前記第１入力端子に結合され、第２抵抗器を介して前記回路の第２出力端子に結合され、第３抵抗器を介して前記回路の第２入力端子に結合され、第４抵抗器を介して前記第１出力端子に結合されたオペアンプを備える請求項１に記載のシステム。
【請求項５】
前記誤差要因は、前記オペアンプの入力電圧オフセットを含む請求項１に記載のシステム。
【請求項６】
環境条件が変動するに連れて前記パラメータの値が変動する請求項１に記載のシステム。
【請求項７】
前記第１出力端子と前記回路の第２出力端子との間の電圧レベル差は
ＶＯＵＴ２−ＶＯＵＴ１＝（ＶＩＮ２−ＶＩＮ１）×Ｋ４＋（ＶＩＮ１−ＶＯＵＴ１）×Ｋ５−ＶＯＳ／Ｋ１
によって与えられ、ここでＶＯＵＴ１は前記第１出力端子における電圧レベルを表わし、ＶＯＵＴ２は前記回路の第２出力端子における電圧レベルを表わし、ＶＩＮ１は前記第１入力端子における電圧レベルを表わし、ＶＩＮ２は前記回路の第２入力端子における電圧レベルを表わし、ＶＯＳは前記回路の電圧オフセットを表わし、Ｋ１は前記回路の第１抵抗率を表わし、Ｋ４は前記回路の第２抵抗率を表わし、Ｋ５は前記回路の第３抵抗率を表わす請求項１に記載のシステム。
【請求項８】
前記回路に結合され、前記プロセッサにデジタル信号を供給するアナログ・デジタル変換器をさらに備え、前記デジタル信号は前記第１出力信号と前記回路の第２出力端子における第２出力信号との間のレベル差を示す請求項１に記載のシステム。
【請求項９】
基準信号および複数のリアルタイムな入力信号から選択された選択信号を前記回路の第２入力端子に供給するマルチプレクサをさらに備える請求項１に記載のシステム。
【請求項１０】
前記マルチプレクサは複数の電池に結合された複数のスイッチを備え、前記複数のリアルタイムな入力信号のうちの各々のリアルタイムな入力信号は、前記複数の電池の対応する電池の端子における電圧レベルである請求項９に記載のシステム。
【請求項１１】
回路の第１入力端子における第１入力信号と前記回路の第１出力端子における第１出力信号との間のレベル差を第１の所定レベルに設定するステップと、
前記第１の所定レベルに基づいて前記回路の誤差要因を示すパラメータを計算するステップと、
を有する方法。
【請求項１２】
前記第１入力信号と前記回路の第２入力端子における第２入力信号との間のレベル差を第２の所定レベルに設定するステップと、
前記第２の所定レベルに基づいて前記パラメータを計算するステップと、
をさらに有する請求項１１に記載の方法。
【請求項１３】
前記パラメータに従って、かつ、前記第１出力信号と前記回路の第２出力端子における第２出力信号との間のリアルタイムなレベル差に従って、前記第１入力信号と前記回路の第２入力端子における第２入力信号との間のリアルタイムなレベル差を計算するステップをさらに有する請求項１１に記載の方法。
【請求項１４】
環境条件が変動するに連れて前記パラメータの値が変動する請求項１１に記載の方法。
【請求項１５】
前記第１出力端子と前記回路の第２出力端子との間の電圧レベル差は
ＶＯＵＴ２−ＶＯＵＴ１＝（ＶＩＮ２−ＶＩＮ１）×Ｋ４＋（ＶＩＮ１−ＶＯＵＴ１）×Ｋ５−ＶＯＳ／Ｋ１
によって与えられ、ここでＶＯＵＴ１は前記第１出力端子における電圧レベルを表わし、ＶＯＵＴ２は前記回路の第２出力端子における電圧レベルを表わし、ＶＩＮ１は前記第１入力端子における電圧レベルを表わし、ＶＩＮ２は前記回路の第２入力端子における電圧レベルを表わし、ＶＯＳは前記回路の電圧オフセットを表わし、Ｋ１は前記回路の第１抵抗率を表わし、Ｋ４は前記回路の第２抵抗率を表わし、Ｋ５は前記回路の第３抵抗率を表わす請求項１１に記載の方法。
【請求項１６】
基準信号および複数のリアルタイムな入力信号から選択信号を選択するステップと、
前記選択信号を前記回路の第２入力端子に供給するステップと、
をさらに有する請求項１１に記載の方法。
【請求項１７】
第１入力端子と第２入力端子と第１出力端子とを備え、前記第１入力端子を介して第１検出端子における第１電圧レベルを選択的に受け、前記第２入力端子を介して第２検出端子における第２電圧レベルを選択的に受ける回路と、
前記第１入力端子と前記第１出力端子との間の電圧レベル差を第１の所定レベルに設定することによって前記回路の誤差要因を決定し、前記第１および第２電圧レベルの間の差を計算するプロセッサと、
を備えるシステム。
【請求項１８】
前記プロセッサは、前記第１入力端子と前記第２入力端子との間の電圧レベル差を第２の所定レベルに設定することによって前記誤差要因を決定する請求項１７に記載のシステム。
【請求項１９】
前記回路は、第１抵抗器を介して前記第１入力端子に結合され、第２抵抗器を介して前記回路の第２出力端子に結合され、第３抵抗器を介して前記第２入力端子に結合され、第４抵抗器を介して前記第１出力端子に結合されたオペアンプを備える請求項１７に記載のシステム。
【請求項２０】
前記誤差要因は、それぞれ、前記第１入力端子、前記第２入力端子、前記第１出力端子、前記回路の第２出力端子における４つの電圧レベルの間の関係に基づいて決定される請求項１７に記載のシステム。
【請求項２１】
環境条件が変動するに連れて前記誤差要因が変動する請求項１７に記載のシステム。
【請求項２２】
前記第１出力端子と前記回路の第２出力端子との間の電圧レベル差は
ＶＯＵＴ２−ＶＯＵＴ１＝（ＶＩＮ２−ＶＩＮ１）×Ｋ４＋（ＶＩＮ１−ＶＯＵＴ１）×Ｋ５−ＶＯＳ／Ｋ１
によって与えられ、ここでＶＯＵＴ１は前記第１出力端子における電圧レベルを表わし、ＶＯＵＴ２は前記第２出力端子における電圧レベルを表わし、ＶＩＮ１は前記第１入力端子における電圧レベルを表わし、ＶＩＮ２は前記第２入力端子における電圧レベルを表わし、ＶＯＳは前記回路の電圧オフセットを表わし、Ｋ１は前記回路の第１抵抗率を表わし、Ｋ４は前記回路の第２抵抗率を表わし、Ｋ５は前記回路の第３抵抗率を表わす請求項１７に記載のシステム。
【請求項２３】
前記回路に結合され、前記プロセッサにデジタル信号を供給するアナログ・デジタル変換器をさらに備え、前記デジタル信号は前記第１出力端子と前記回路の第２出力端子との間の電圧レベル差を示す請求項１７に記載のシステム。
【請求項２４】
基準信号および前記第２電圧レベルから選択された選択信号を前記第２入力端子に供給するマルチプレクサをさらに備える請求項１７に記載のシステム。
【発明の詳細な説明】
【技術分野】
【０００１】
本発明は、信号監視システムに関する。
【背景技術】
【０００２】
電池の集合の電圧を監視する従来のバッテリー監視システムは、マルチプレクサおよびアナログ・デジタル変換器（ＡＤＣ）を含みうる。マルチプレクサは電池の集合に結合され、各々の電池の電圧を１つまたは複数のアナログ信号に順次的にシフトする。ＡＤＣはアナログ信号を対応するデジタル信号に変換する。簡潔には、この監視システムは電池の電圧を監視し、電池の電圧を表わすために対応するデジタル信号を生成する。
【発明の概要】
【発明が解決しようとする課題】
【０００３】
しかし、実際、ＡＤＣおよびマルチプレクサは、シフト処理に誤差を導入しうる。いくつかの従来のバッテリー監視システムにおいて、ＡＤＣによって引き起こされる誤差はＡＤＣ自身によって較正される。しかし、マルチプレクサによって引き起こされる誤差は、環境条件（例えば、周囲の温度、等）における変化とともに変動し、従来のバッテリー電池電圧の監視システムの出力の正確さを減少させる。
【課題を解決するための手段】
【０００４】
一実施形態において、信号監視システムは回路とプロセッサとを含む。回路は入力端子と出力端子とを含む。回路に接続されるプロセッサは、入力端子における入力信号と、出力端子における出力信号との間のレベル差を所定レベルに設定することによって、回路の誤差要因を示すパラメータを計算する動作が可能である。
【０００５】
本発明の実施形態の特徴および効果は、同じ符号が同じ部分を表わす図面を参照して、続く詳細な説明が進むに連れて明らかになる。
【図面の簡単な説明】
【０００６】
【図１Ａ】本発明の一実施形態による、信号監視システムの一例のブロック図を表わす。
【図１Ｂ】本発明の一実施形態による、信号シフト回路の一例の回路図を表わす。
【図２】本発明の一実施形態による、バッテリー監視システムの一例の回路図を表わす。
【図３】本発明の一実施形態による、バッテリー監視システムによって実行される動作例のフローチャートを表わす。
【図４】本発明の一実施形態による、バッテリー監視システムによって実行される動作例のフローチャートを表わす。
【図５】本発明の一実施形態による、バッテリー監視システムによって実行される動作例のフローチャートを表わす。
【発明を実施するための形態】
【０００７】
ここで、本発明の実施形態を詳細に参照する。本発明はこれらの実施形態に関して説明されるが、これは本発明をこれらの実施形態に限定することを意図しないと理解される。逆に、本発明は添付の特許請求の範囲によって定義される本発明の思想および範囲内に含まれうる代替、変形、および均等物を包含することが意図される。
【０００８】
さらに、続く本発明の詳細な説明において、本発明の十分な理解のために多数の具体的な詳細が記載される。しかし、この技術分野の当業者は、本発明がこれらの具体的な詳細なしで実施されうることを理解する。他方、周知の方法、手順、構成要素、および回路は、本発明の態様を不必要に不明瞭にしないように、詳細には説明していない。
【０００９】
一実施形態において、本発明は、例えば、バッテリー電池の集合の各電池の一端から他端への電圧を監視することができる信号監視システムを提供する。そのような一実施形態において、信号監視システムは自己較正処理を動作させ、それによって信号監視システムはバッテリー電池の電池電圧をより正確に監視する。より具体的には、信号監視システムは、信号監視システムの１つまたは複数の誤差要因を示す１つまたは複数のバラメータを計算する。信号監視システムは、計算されたパラメータに基づいてバッテリー電池の電池電圧を計算する。
【００１０】
図１Ａは、本発明の一実施形態による、信号監視システム１００の一例のブロック図を表わす。そのような一実施形態において、信号監視システム１００は、信号供給回路１３０、信号シフト回路１０２、電力変換器、例えば、アナログ・デジタル変換器（ＡＤＣ）１０４、およびプロセッサ１０６を含む。
【００１１】
信号シフト回路１０２は、第１入力端子１１０＿１、第２入力端子１１０＿２、第１出力端子１２０＿１、および第２出力端子１２０＿２を含む。信号シフト回路１０２は、第１入力信号、例えば電圧レベルＶＩＮ１、および、第２入力信号、例えば電圧レベルＶＩＮ２を、それぞれ、第１入力端子１１０＿１、第２入力端子１１０＿２を介して信号供給回路１３０から受ける。さらに、シフト回路１０２は、入力信号ＶＩＮ１およびＶＩＮ２を、第１出力信号、例えば電圧レベルＶＯＵＴ１、および、第２出力信号、例えば電圧レベルＶＯＵＴ２にシフトし、出力信号ＶＯＵＴ１および出力信号ＶＯＵＴ２を、それぞれ、第１出力端子１２０＿１、第２出力端子１２０＿２を介してＡＤＣ・１０４に供給する。従って、ＡＤＣ・１０４はデジタル信号１４２をプロセッサ１０６に供給する。デジタル信号１４２は、第１出力信号ＶＯＵＴ１と第２出力信号ＶＯＵＴ２の間のレベル差を示す。また、ＡＤＣは、第１出力信号ＶＯＵＴ１のレベルと第２出力信号ＶＯＵＴ２のレベルを示す（図１Ａに示さない）デジタル信号を生成することができる。プロセッサ１０６は、デジタル信号を１４２を受け、デジタル信号１４２に基づいて第１入力信号ＶＩＮ１と第２入力信号ＶＩＮ２の間のレベル差を計算する。また、プロセッサ１０６は、第１入力信号ＶＩＮ１のレベルおよび／または第２入力信号ＶＩＮ２のレベルを計算することができる。
【００１２】
一実施形態において、信号シフト回路１０２は１つまたは複数の誤差要因を有する。例えば、信号シフト回路１０２は、信号シフト回路１０２内の抵抗の不整合によって引き起こされる誤差要因を有しうる。また、信号シフト回路１０２は、環境条件の変動によって変動する誤差要因、例えば電圧オフセットを有しうる。環境条件は周囲の温度等を含む。従って、そのような一実施形態において、第１出力信号ＶＯＵＴ１と第２出力信号ＶＯＵＴ２の間のレベル差が、誤差要因、および、第１入力信号ＶＩＮ１と第２入力信号ＶＩＮ２の間のレベル差によって決定される。好ましくは、信号シフト回路１０２に結合されたプロセッサ１０６は、信号シフト回路１０２の誤差要因を示す１つまたは複数のパラメータを計算することができる。具体的には、第１入力信号ＶＩＮ１と第１出力信号ＶＯＵＴ１の間のレベル差を第１の所定レベルＶＰＲＥ１（例えば、ＶＩＮ１−ＶＯＵＴ１＝ＶＰＲＥ１）に設定し、第２入力信号ＶＩＮ２と第１入力信号ＶＩＮ１の間のレベル差を第２の所定レベルＶＰＲＥ２（例えば、ＶＩＮ２−ＶＩＮ１＝ＶＰＲＥ２）に設定することによって、プロセッサ１０６は誤差要因を示すパラメータを計算する。その結果、プロセッサ１０６は、そのパラメータに従って、かつ、第１出力信号ＶＯＵＴ１と第２出力信号ＶＯＵＴ２の間のリアルタイムなレベル差に従って、第１入力信号ＶＩＮ１と第２入力信号ＶＩＮ２の間のリアルタイムなレベル差を計算する。
【００１３】
図１Ｂは、本発明の一実施形態による、信号シフト回路１０２の一例の回路図を表わす。図１Ａと同じ符号が付された要素は同様の機能を有する。
【００１４】
図１Ｂに表わされているように、信号シフト回路１０２はオペアンプ（ＯＡ（Operational Amplifier））１１２を含む。ＯＡ・１１２の入力端子、例えば反転入力端子は、第１抵抗器Ｒ１を介して第１入力端子１１０＿１に、第２抵抗器Ｒ２を介して第２出力端子１２０＿２に結合される。ＯＡ・１１２のもう１つの入力端子、例えば非反転入力端子は、第３抵抗器Ｒ’３を介して第２入力端子１１０＿２に、第４抵抗器Ｒ４を介して第１出力端子１２０＿１に結合される。さらに、ＯＡ・１１２の出力端子は第２出力端子１２０＿２に結合される。そのような一実施形態において、第１抵抗器は抵抗値Ｒ１を有し、第２抵抗器は抵抗値Ｒ２を有し、第３抵抗器は抵抗値Ｒ３および抵抗値ΔＲ（例えば、Ｒ’３＝Ｒ３＋ΔＲ）を有し、第４抵抗器は抵抗値Ｒ４を有する。抵抗値ΔＲは、信号シフト回路１０２内の抵抗の不整合によって引き起こされる抵抗誤差を表わす。さらに、パラメータＶＯＳは、実際のＯＡ・１１２の誤差要因、例えば入力電圧オフセットを表わす。パラメータＶＯＳの値は、環境条件、例えば周囲の温度が変動するに連れて変動する。
【００１５】
そのような一実施形態において図１Ｂに表わされているＯＡ・１１２は理想的なＯＡであると仮定する。従って、ＯＡ・１１２の非反転入力端子における電圧レベルＶ＋は、ＯＡ・１１２の反転入力端子における電圧レベルＶ−に等しい、例えば、Ｖ＋＝Ｖ−である。次式が得られる。
【００１６】
【数１】
2011138504.tif 000003
【００１７】
Ｋ１はＲ１／（Ｒ１＋Ｒ２）に等しい抵抗率、Ｋ２はＲ’３／（Ｒ’３＋Ｒ４）に等しい抵抗率、Ｋ３はＫ２／Ｋ１に等しい抵抗率と仮定する。数式（１）は次のように書き直すことができる。
【００１８】
【数２】
2011138504.tif 000004
【００１９】
さらに、数式（２）は次のように書き直すことができる。
【００２０】
【数３】
2011138504.tif 000005
【００２１】
すなわち、
【００２２】
【数４】
2011138504.tif 000006
【００２３】
Ｋ４は１／Ｋ１−Ｋ３に等しい抵抗率、Ｋ５は１−Ｋ３に等しい抵抗率と仮定する。第１出力端子１２０＿１と第２出力端子１２０＿２の間の電圧レベル差ＶＯＵＴ２−ＶＯＵＴ１は次式によって与えられる。
【００２４】
【数５】
2011138504.tif 000007
【００２５】
数式（４）は、それぞれ、第１入力端子１１０＿１、第２入力端子１１０＿２、第１出力端子１２０＿１、第２出力端子１２０＿２における電圧レベルＶＩＮ１、ＶＩＮ２、ＶＯＵＴ１、ＶＯＵＴ２の間の関係を定義する。さらに、数式（４）は、パラメータＶＯＳ、および、パラメータＫ１、Ｋ４、およびＫ５によって決定される。項ＶＯＳ／Ｋ１は、環境条件が変動するに連れて変動する誤差要因ＶＯＳを含む。抵抗率Ｋ４およびＫ５は、信号シフト回路１０２内の抵抗の不整合によって引き起こされる誤差要因ΔＲを含む。
【００２６】
好ましくは、図１Ａにおけるプロセッサ１０６は、パラメータＶＯＳ、Ｋ１、Ｋ４、およびＫ５を計算することができる。具体的には、プロセッサ１０６は、電圧レベル差ＶＩＮ１−ＶＯＵＴ１を第１の所定レベルＶＰＲＥ１（例えば、ＶＩＮ１−ＶＯＵＴ１＝ＶＰＲＥ１）に設定し、電圧レベル差ＶＩＮ２−ＶＩＮ１を第２の所定レベルＶＰＲＥ２（例えば、ＶＩＮ２−ＶＩＮ１＝ＶＰＲＥ２）に設定することができる。一方、プロセッサ１０６は、ＡＤＣ・１０４によって電圧レベル差ＶＯＵＴ２−ＶＯＵＴ１を測定する。測定された電圧レベル差ＶＯＵＴ２−ＶＯＵＴ１および所定レベルＶＰＲＥ１およびＶＰＲＥ２に基づいて、プロセッサ１０６はパラメータＶＯＳ、Ｋ１、Ｋ４、およびＫ５を計算する。その結果、プロセッサ１０６は数式（４）を評価する。
【００２７】
図２は、本発明の一実施形態による、バッテリー監視システム２００の一例の回路図を表わす。図１Ａおよび図１Ｂと同じ符号が付された要素は同様の機能を有する。バッテリー監視システム２００は、バッテリーパック２３０、マルチプレクサ２４６、ＡＤＣ・１０４、プロセッサ１０６、および基準信号源２０８を含む。
【００２８】
そのような一実施形態において、バッテリーパック２３０は、電池２３０＿１、２３０＿２、２３０＿３、および２３０＿４の集合を含む。図２の例において、バッテリーパック２３０は４つの電池２３０＿１〜２３０＿４を含む。しかし、バッテリーパック２３０はそれに限定されない。バッテリーパック２３０は任意の数の電池を含むことができる。マルチプレクサ２４６は、電池２３０＿１〜２３０＿４の集合と、第１および第２入力端子１１０＿１および１１０＿２との間に結合された複数のスイッチ２１４＿１、２１４＿２、２１４＿３、２１４＿４、２１６＿１、２１６＿２、２１６＿３、および２１６＿４を含む。さらに、マルチプレクサ２４６は、信号シフト回路１０２、バッファ２１８、およびスイッチ回路２２２を含む。マルチプレクサ２４６はプロセッサ１０６によって制御される。
【００２９】
マルチプレクサ２４６は、第１基準信号、第２基準信号、およびリアルタイムな入力信号の集合から選択された第１選択信号および第２選択信号を第１入力端子１１０＿１および第２入力端子１１０＿２に供給する動作が可能である。第１および第２基準信号は、基準信号源２０８からの基準電圧ＶＲＥＦ１およびＶＲＥＦ２とすることができる。また、第１および第２基準信号はグランドからのゼロボルト電圧とすることができる。さらに、第１基準信号は、例えば、第１入力端子１１０＿１を第１出力端子１２０＿１に接続することによって、第１出力信号ＶＯＵＴ１に等しくすることができる。リアルタイムな入力信号の集合は電池２３０＿１〜２３０＿４の集合からの電圧レベルの集合である。具体的には、リアルタイムな入力信号の集合における各々のリアルタイムな入力信号は電池２３０＿１〜２３０＿４のうちの対応する電池の端子における電圧レベルである。
【００３０】
より具体的には、複数のスイッチ２１４＿１〜２１４＿４および２１６＿１〜２１６＿４は、電池２３０＿１〜２３０＿４の集合と、第１および第２入力端子１１０＿１および１１０＿２との間に結合される。スイッチ２１６＿１〜２１６＿４のうちのスイッチ２１６＿ｎ（ｎ＝１、２、３、または４）をターンオンすることによって、信号シフト回路１０２は、第１入力端子１１０＿１を介して第１検出端子、例えば電池２３０＿ｎの負端子における第１電圧レベルＶＬ（ｎ）を受ける。同様に、スイッチ２１４＿１〜２１４＿４のうちのスイッチ２１４＿ｎをターンオンすることによって、信号シフト回路１０２は、第２入力端子１１０＿２を介して第２検出端子、例えば電池２３０＿ｎの正端子における第２電圧レベルＶＨ（ｎ）を受ける。
【００３１】
スイッチ回路２２２は（図２に示さない）複数のスイッチを含む。例えば、スイッチ回路２２２は、第１入力端子１１０＿１と基準信号源２０８の間に結合されたスイッチ、および／または、第２入力端子１１０＿２と基準信号源２０８の間に結合されたスイッチを含むことが可能である。また、スイッチ回路２２２は、第１入力端子１１０＿１とグランドの間に結合されたスイッチ、および／または、第２入力端子１１０＿２とグランドの間に結合されたスイッチを含むことが可能である。また、スイッチ回路２２２は、第１および第２入力端子１１０＿１および１１０＿２の間に結合されたスイッチを含むことが可能である。さらに、スイッチ回路２２２は、第１出力端子１２０＿１と第１入力端子１１０＿１の間に結合されたスイッチを含むことが可能である。スイッチ回路２２２は、多くの異なる構成を有することができる。
【００３２】
第１入力端子１１０＿１および第２入力端子１１０＿２は、スイッチ回路２２２における該当するスイッチをターンオンすることによって基準電圧ＶＲＥＦ１およびＶＲＥＦ２を受けることができる。また、第１入力端子１１０＿１および第２入力端子１１０＿２は、スイッチ回路２２２における該当するスイッチをターンオンすることによってグランドからのゼロボルト電圧を受けることができる。さらに、第１入力端子１１０＿１は、スイッチ回路２２２における該当するスイッチをターンオンすることによって第１出力端子１２０＿１からの第１出力信号ＶＯＵＴ１を受けることができる。
【００３３】
図２に表わされているように、バッファ２１８は、第１出力端子１２０＿１に結合された出力端子を有する。バッファ２１８は、限定しないが、オペアンプとすることができる。オペアンプ２１８は、基準電圧ＶＲＥＦ３を受ける入力端子２２４（例えば、非反転端子）、およびオペアンプ２１８の出力端子に結合されるもう１つの入力端子（例えば、反転端子）を含む。従って、バッファ２１８は、第１出力信号ＶＯＵＴ１を基準電圧ＶＲＥＦ３にほぼ等しく設定することができる。オペアンプ２１８は比較的小さな入力電圧オフセットを有しうる。従って、第１出力信号ＶＯＵＴ１のレベルは、電圧レベルＶＲＥＦ３を中心とする比較的小さな範囲内に存在する。電圧レベル差ＶＯＵＴ２−ＶＯＵＴ１は、比較的安定した電圧レベル、例えばＶＯＵＴ１に関しうる。図２の例において、基準信号源２０８は３つの基準電圧ＶＲＥＦ１、ＶＲＥＦ２、およびＶＲＥＦ３を供給する。しかし、基準信号源２０８は、任意の数の基準信号を供給することができる。さらに、図２の例において、マルチプレクサ２４６はバッファ２１８を含む。しかし、もう１つの実施形態において、第１出力端子１２０＿１は接地され、バッファ２１８は省かれる。
【００３４】
図３は、本発明の一実施形態による、バッテリー監視システム２００によって実行される動作例のフローチャートを表わす。図３は図１Ａ、図１Ｂ、および図２と組み合わせて説明される。図３に表わされているように、ブロック３０２はバッテリー監視システム２００によって実行される１回限りの較正処理のためのフローチャートを表わす。ブロック３０４はバッテリー監視システム２００によって実行されるリアルタイムな較正処理のためのフローチャートを表わす。１回限りの較正処理およびリアルタイムな較正処理は数式（３）および（４）に基づいて実行される。
【００３５】
具体的には、１回限りの較正処理の間に、プロセッサ１０６によってパラメータＫ４およびＫ５が取得／計算される。計算されたパラメータＫ４およびＫ５の値はプロセッサ１０６内のデータメモリに記憶される。一実施形態において、抵抗の不整合によって引き起こされる誤差要因は、環境条件が変動するとき一定とすることができる。言い換えると、パラメータＫ４およびＫ５の値は、環境条件が変動するとき一定とすることができる。従って、プロセッサ１０６は、必須ではないが、１回だけ較正処理を実行することができる。例えば、信号シフト回路１０２が最初にプロセッサ１０６と組み合わせて使用されるとき、１回限りの較正処理が実行される。しかし、１回限りの較正処理はいつでも実行することができる。
【００３６】
リアルタイムな較正処理の間に、プロセッサ１０６によって項ＶＯＳ／Ｋ１が取得／計算される。環境条件が変動するに連れて誤差要因ＶＯＳが変動するので、プロセッサ１０６はバッテリー監視処理の最初にリアルタイムな較正処理を実行する。プロセッサ１０６は項ＶＯＳ／Ｋ１の現在の値（またはリアルタイムな値）を取得し、それによって電池２３０＿１〜２３０＿４の電池電圧をより正確に計算する。
【００３７】
より具体的には、ブロック３１０において、バッテリー監視システム２００は１回限りの較正処理を実行する。ブロック３１２において、バッテリー監視システム２００はＶＩＮ２＝ＶＩＮ１＝ＶＯＵＴ１と設定し、ＶＯＵＴ２−ＶＯＵＴ１の現在のレベルＶＤ１を測定する。例えば、マルチプレクサ２４６はスイッチ回路２２２における該当するスイッチをターンオンし、それによって第１入力端子１１０＿１および第２入力端子１１０＿２が第１出力端子１２０＿１に接続される。そのようにして、第１出力信号ＶＯＵＴ１は第１入力端子１１０＿１および第２入力端子１１０＿２に伝達され、それによって第１入力信号ＶＩＮ１および第２入力信号ＶＩＮ２を第１出力信号ＶＯＵＴ１に等しく設定する。一方、プロセッサ１０６は、ＡＤＣ・１０４によって出力端子１２０＿１と１２０＿２の間の現在の電圧レベル差ＶＤ１、例えばＶＤ１＝ＶＯＵＴ２−ＶＯＵＴ１を測定／取得する。
【００３８】
従って、数式（３）に基づいて、次式が得られる。
【００３９】
【数６】
2011138504.tif 000008
【００４０】
言い換えると、ブロック３１４に記載されているように、プロセッサ１０６は項ＶＯＳ／Ｋ１の値を計算する。パラメータＫ１の値が既知、例えばＫ１＝０．６６６７±５％ならば、プロセッサ１０６はＶＯＳ＝ＶＤ１×（０．６６６７±５％）として電圧オフセットＶＯＳを計算することもできる。
【００４１】
ブロック３１６において、バッテリー監視システム２００はＶＩＮ２＝ＶＩＮ１＝０と設定し、ＶＯＵＴ２−ＶＯＵＴ１の現在のレベルＶＤ２を測定する。例えば、マルチプレクサ２４６はスイッチ回路２２２における該当するスイッチをターンオンし、それによって入力端子１１０＿１および１１０＿２が接地される。一方、プロセッサ１０６は、ＡＤＣ・１０４によって出力端子１２０＿１と１２０＿２の間の現在の電圧レベル差ＶＤ２、例えばＶＤ２＝ＶＯＵＴ２−ＶＯＵＴ１を測定／取得する。また、プロセッサ１０６は第１出力信号ＶＯＵＴ１の現在の電圧レベルＶ１、例えばＶ１＝ＶＯＵＴ１を測定／取得する。従って、数式（３）および（５）に基づいて、次式が得られる。
ＶＤ２＝−Ｖ１×（１−Ｋ３）＋ＶＤ１          （６）
【００４２】
ブロック３１８に記載されているように、パラメータＫ３は次のように計算される。
【００４３】
【数７】
2011138504.tif 000009
【００４４】
ブロック３２０において、バッテリー監視システム２００はＶＩＮ２＝ＶＲＥＦ１と設定し、ＶＩＮ１＝０と設定し、ＶＯＵＴ２−ＶＯＵＴ１の現在のレベルＶＤ３を測定する。例えば、マルチプレクサ２４６はスイッチ回路２２２における該当するスイッチをターンオンし、それによって第２入力端子１１０＿２は基準電圧ＶＲＥＦ１を受け、第１入力端子１１０＿１は接地される。一方、プロセッサ１０６は、ＡＤＣ・１０４によって出力端子１２０＿１と１２０＿２の間の現在の電圧レベル差ＶＤ３、例えばＶＤ３＝ＶＯＵＴ２−ＶＯＵＴ１を測定／取得する。１回限りの較正処理は比較的短い時間を要するので、１回限りの較正処理の間、第１出力信号ＶＯＵＴ１の電圧レベルは一定、例えばＶＯＵＴ１＝Ｖ１と考えられる。従って、数式（３）および（５）に基づいて、次式が得られる。
ＶＤ３＝ＶＲＥＦ１×（１／Ｋ１−Ｋ３）−Ｖ１×（１−Ｋ３）＋ＶＤ１          （８）
【００４５】
ブロック３２２において、バッテリー監視システム２００はＶＩＮ２＝ＶＩＮ１＝ＶＲＥＦ１と設定し、ＶＯＵＴ２−ＶＯＵＴ１の現在のレベルＶＤ４を測定する。例えば、マルチプレクサ２４６はスイッチ回路２２２における該当するスイッチをターンオンし、それによって入力端子１１０＿１および１１０＿２は基準電圧ＶＲＥＦ１を受ける。一方、プロセッサ１０６は、ＡＤＣ・１０４によって出力端子１２０＿１と１２０＿２の間の現在の電圧レベル差ＶＤ４、例えばＶＤ４＝ＶＯＵＴ２−ＶＯＵＴ１を測定／取得する。数式（３）および（５）に基づいて、次式が得られる。
ＶＤ４＝（ＶＲＥＦ１−Ｖ１）×（１−Ｋ３）＋ＶＤ１          （９）
【００４６】
数式（８）および（９）に基づいて、次式が得られる。
ＶＤ３−ＶＤ４＝ＶＲＥＦ１×（１／Ｋ１−１）          （１０）
ブロック３２４に記載されているように、パラメータＫ１は次のように計算される。
【００４７】
【数８】
2011138504.tif 000010
【００４８】
その結果、プロセッサ１０６は、パラメータＫ４およびＫ５を計算し（例えば、Ｋ４＝１／Ｋ１−Ｋ３、Ｋ５＝１−Ｋ３）、パラメータＫ４およびＫ５の値をプロセッサ１０６内のデータメモリに記憶する。フローチャート３０２はブロック３２６へ進み、１回限りの較正処理を終了する。
【００４９】
バッテリー監視システム２００が電池２３０＿１〜２３０＿４の電池電圧の監視を開始するとき、バッテリー監視システム２００はリアルタイムな較正処理を実行する。ブロック３３０において、バッテリー監視システム２００はリアルタイムな較正処理を開始する。ブロック３３２において、バッテリー監視システム２００はブロック３１２に関して記載されているのと同様の動作を実行する。バッテリー監視システム２００はＶＩＮ２＝ＶＩＮ１＝ＶＯＵＴ１と設定し、ＶＯＵＴ２−ＶＯＵＴ１の現在のレベル（またはリアルタイムなレベル）ＶＤ５を測定する。数式（３）に基づいて、次式が得られる。
【００５０】
【数９】
2011138504.tif 000011
【００５１】
ブロック３３４において、プロセッサ１０６は項ＶＯＳ／Ｋ１の値、例えばＶＯＳ／Ｋ１＝−ＶＤ５を計算／取得する。
【００５２】
ブロック３３６において、プロセッサ１０６はｎ＝１と設定する。ブロック３３８において、バッテリー監視システム２００は、ＶＩＮ２＝ＶＨ（ｎ）と設定し、ＶＩＮ１＝ＶＬ（ｎ）と設定し、ＶＯＵＴ２−ＶＯＵＴ１の現在のレベル（またはリアルタイムなレベル）ＶＤ（ｎ）を測定する。具体的には、パラメータｎは電池２３０＿１〜２３０＿４の順次的な番号（例えば、ｎ＝１、２、３、４）を表わす。電圧レベルＶＨ（ｎ）は電池２３０＿ｎの正端子における電圧レベルを表わし、電圧レベルＶＬ（ｎ）は電池２３０＿ｎの負端子における電圧レベルを表わす。例えば、ｎ＝１であるとき、プロセッサ１０６はスイッチ２１４＿１および２１６＿１をターンオンし、それによってＶＩＮ２＝ＶＨ（１）およびＶＩＮ１＝ＶＬ（１）である。一方、プロセッサ１０６は、ＡＤＣ・１０４によって出力端子１２０＿１と１２０＿２の間の現在の電圧レベル差ＶＤ（１）、例えばＶＤ（１）＝ＶＯＵＴ２−ＶＯＵＴ１を測定／取得する。
【００５３】
従って、数式（４）に基づいて、次式が得られる。
【００５４】
【数１０】
2011138504.tif 000012
【００５５】
数式（１３）において、電池２３０＿１の負端子は接地されているので、電圧レベルＶＬ（１）はゼロボルトである。さらに、第１出力信号ＶＯＵＴ１の電圧レベルが測定／取得され、例えばＶＯＵＴ１＝Ｖ２、リアルタイムな較正処理の間、一定であると考えられる。従って、ブロック３４０に記載されているように、電圧レベルＶＨ（１）は次のように計算される。
【００５６】
【数１１】
2011138504.tif 000013
【００５７】
電池２３０＿１の一端から他端への電圧はＶＨ（１）−ＶＬ（１）＝ＶＨ（１）に等しい。
【００５８】
ブロック３４２において、プロセッサ１０６は数ｎを電池２３０＿１〜２３０＿４の数（例えば、４）と比較する。数ｎが電池２３０＿１〜２３０＿４の数（例えば、４）より小さいならば、フローチャート３０４はブロック３４４へ進む。ブロック３４４において、プロセッサ１０６は数ｎの値を１だけ増加させる。フローチャート３０４はブロック３３８そしてブロック３４０へ進む。同様に、プロセッサ１０６はスイッチ２１４＿２および２１６＿２をターンオンし、それによってＶＩＮ２＝ＶＨ（２）およびＶＩＮ１＝ＶＬ（２）である。一方、プロセッサ１０６は、ＡＤＣ・１０４によって出力端子１２０＿１と１２０＿２の間の現在の電圧レベル差ＶＤ（２）、例えばＶＤ（２）＝ＶＯＵＴ２−ＶＯＵＴ１を測定／取得する。次式が得られる。
【００５９】
【数１２】
2011138504.tif 000014
【００６０】
数式（１５）において、電圧レベルＶＬ（２）はＶＨ（１）である。従って、電圧レベルはＶＨ（２）は次のように計算される。
【００６１】
【数１３】
2011138504.tif 000015
【００６２】
電池２３０＿２の一端から他端への電圧はＶＨ（２）−ＶＬ（２）＝ＶＨ（２）−ＶＨ（１）に等しい。ブロック３４４、３３８、および３４０における動作を繰り返すことによって、電池２３０＿１〜２３０＿４のそれぞれの一端から他端への全ての電池電圧が計算される。
【００６３】
ブロック３４２に戻り、数ｎが電池２３０＿１〜２３０＿４の数（例えば、４）に等しいならば、ブローチャート３０４はブロック３４６へ進み、リアルタイムな較正処理を終了する。好ましくは、プロセッサ１０６は、バッテリー監視処理の各ラウンドの直前に項ＶＯＳ／Ｋ１のリアルタイムな値を計算することができる。従って、プロセッサ１０６は電池２３０＿１〜２３０＿４の電池電圧をより正確に計算することができる。
【００６４】
図４は、本発明の一実施形態による、バッテリー監視システム２００によって実行される動作例のフローチャートを表わす。図４は図１Ａ、図１Ｂ、および図２と組み合わせて説明される。図４に表わされているように、ブロック４０２は１回限りの較正処理のためのフローチャートを表わし、ブロック４０４はリアルタイムな較正処理のためのフローチャートを表わす。１回限りの較正処理およびリアルタイムな較正処理は数式（４）に基づいて実行される。そのような一実施形態において、信号シフト回路１０２は単一の出力を有するように構成される。具体的には、第１出力端子１２０＿１は接地され、バッファ２１８は省かれる。
【００６５】
ブロック４１０において、バッテリー監視システム２００は１回限りの較正処理を実行する。ブロック４１２において、バッテリー監視システム２００はＶＩＮ１＝ＶＯＵＴ１＝０と設定し、ＶＩＮ２＝ＶＲＥＦ１と設定し、ＶＯＵＴ２−ＶＯＵＴ１の現在のレベルＶ’Ｄ１を測定する。例えば、マルチプレクサ２４６はスイッチ回路２２２における該当するスイッチをターンオンし、それによって第１入力端子１１０＿１は接地され、第２入力端子１１０＿２は基準電圧ＶＲＥＦ１を受ける。一方、プロセッサ１０６は、ＡＤＣ・１０４によって出力端子１２０＿１と１２０＿２の間の現在の電圧レベル差Ｖ’Ｄ１、例えばＶ’Ｄ１＝ＶＯＵＴ２−ＶＯＵＴ１を測定／取得する。同様に、ブロック４１４において、バッテリー監視システム２００はＶＩＮ１＝ＶＯＵＴ１＝０と設定し、ＶＩＮ２＝ＶＲＥＦ２と設定し、ＶＯＵＴ２−ＶＯＵＴ１の現在のレベルＶ’Ｄ２を測定する。マルチプレクサ２４６はスイッチ回路２２２における該当するスイッチをターンオンし、それによって第２入力端子１１０＿２は基準電圧ＶＲＥＦ２を受ける。一方、プロセッサ１０６は、ＡＤＣ・１０４によって出力端子１２０＿１と１２０＿２の間の現在の電圧レベル差Ｖ’Ｄ２、例えばＶ’Ｄ２＝ＶＯＵＴ２−ＶＯＵＴ１を測定／取得する。
【００６６】
従って、数式（４）に基づいて、次式が得られる。
【００６７】
【数１４】
2011138504.tif 000016
【００６８】
ブロック４１６に記載されているように、パラメータＫ４および項ＶＯＳ／Ｋ１は次のように計算される。
【００６９】
【数１５】
2011138504.tif 000017
【００７０】
ブロック４１８において、バッテリー監視システム２００はＶＩＮ２＝ＶＲＥＦ２と設定し、ＶＩＮ１＝ＶＲＥＦ１と設定し、ＶＯＵＴ２−ＶＯＵＴ１の現在のレベルＶ’Ｄ３を測定する。例えば、マルチプレクサ２４６はスイッチ回路２２２における該当するスイッチをターンオンし、それによって第２入力端子１１０＿２は基準電圧ＶＲＥＦ２を受け、第１入力端子１１０＿１は基準電圧ＶＲＥＦ１を受ける。一方、プロセッサ１０６は、ＡＤＣ・１０４によって出力端子１２０＿１と１２０＿２の間の現在の電圧レベル差Ｖ’Ｄ３、例えばＶ’Ｄ３＝ＶＯＵＴ２−ＶＯＵＴ１を測定／取得する。
【００７１】
従って、数式（４）に基づいて、次式が得られる。
【００７２】
【数１６】
2011138504.tif 000018
【００７３】
ブロック４２０に記載されているように、パラメータＫ５は次のように計算される。
【００７４】
【数１７】
2011138504.tif 000019
【００７５】
その結果、プロセッサ１０６は、パラメータＫ４およびＫ５を計算し、パラメータＫ４およびＫ５の値をプロセッサ１０６内のデータメモリに記憶する。フローチャート４０２はブロック４２２へ進み、１回限りの較正処理を終了する。
【００７６】
ブロック４３０において、バッテリー監視システム２００はリアルタイムな較正処理を開始する。ブロック４３２および４３４において、バッテリー監視システム２００はブロック４１２および４１４について記載されているのと同様の動作を実行する。ブロック４３２において、バッテリー監視システム２００はＶＩＮ１＝ＶＯＵＴ１＝０と設定し、ＶＩＮ２＝ＶＲＥＦ１と設定し、ＶＯＵＴ２−ＶＯＵＴ１の現在のレベル（またはリアルタイムなレベル）Ｖ’Ｄ４を測定する。ブロック４３４において、バッテリー監視システム２００はＶＩＮ１＝ＶＯＵＴ１＝０と設定し、ＶＩＮ２＝ＶＲＥＦ２と設定し、ＶＯＵＴ２−ＶＯＵＴ１の現在のレベル（またはリアルタイムなレベル）Ｖ’Ｄ５を測定する。
【００７７】
従って、数式（４）に基づいて、次式が得られる。
【００７８】
【数１８】
2011138504.tif 000020
【００７９】
ブロック４３６に記載されているように、項ＶＯＳ／Ｋ１は次のように計算される。
【００８０】
【数１９】
2011138504.tif 000021
【００８１】
ブロック４３８において、プロセッサ１０６はｎ＝１と設定する。ブロック４４０において、バッテリー監視システム２００は、ＶＩＮ２＝ＶＨ（ｎ）と設定し、ＶＩＮ１＝ＶＬ（ｎ）と設定し、ＶＯＵＴ２−ＶＯＵＴ１の現在のレベル（またはリアルタイムなレベル）Ｖ’Ｄ（ｎ）を測定する。例えば、ｎ＝１であるとき、プロセッサ１０６はスイッチ２１４＿１および２１６＿１をターンオンし、それによってＶＩＮ２＝ＶＨ（１）およびＶＩＮ１＝ＶＬ（１）である。一方、プロセッサ１０６は、ＡＤＣ・１０４によって出力端子１２０＿１と１２０＿２の間の現在の電圧レベル差Ｖ’Ｄ（１）、例えばＶ’Ｄ（１）＝ＶＯＵＴ２−ＶＯＵＴ１を測定／取得する。
【００８２】
従って、数式（４）に基づいて、次式が得られる。
【００８３】
【数２０】
2011138504.tif 000022
【００８４】
数式（２３）において、電圧レベルＶＬ（１）およびＶＯＵＴ１はゼロボルトである。ブロック４４２に記載されているように、電圧レベルＶＨ（１）は次のように計算される。
【００８５】
【数２１】
2011138504.tif 000023
【００８６】
電池２３０＿１の一端から他端への電圧はＶＨ（１）−ＶＬ（１）＝ＶＨ（１）に等しい。
【００８７】
ブロック４４４において、プロセッサは数ｎを電池２３０＿１〜２３０＿４の数（例えば、４）と比較する。数ｎが電池２３０＿１〜２３０＿４の数（例えば、４）より小さいならば、フローチャート４０４はブロック４４６へ進み、数ｎの値を１だけ増加させる。フローチャート４０４はブロック４４０そしてブロック４４２へ進む。同様に、次式が得られる。
【００８８】
【数２２】
2011138504.tif 000024
【００８９】
従って、電圧レベルはＶＨ（２）は次のように計算される。
【００９０】
【数２３】
2011138504.tif 000025
【００９１】
電池２３０＿２の一端から他端への電圧はＶＨ（２）−ＶＬ（２）＝ＶＨ（２）−ＶＨ（１）に等しい。ブロック４４６、４４０、および４４２における動作を繰り返すことによって、電池２３０＿１〜２３０＿４のそれぞれの一端から他端への全ての電池電圧が計算される。
【００９２】
ブロック４４４に戻り、数ｎが電池２３０＿１〜２３０＿４の数（例えば、４）に等しいならば、ブローチャート４０４はブロック４４８進み、リアルタイムな較正処理を終了する。好ましくは、プロセッサ１０６は、バッテリー監視処理の各ラウンドの直前に項ＶＯＳ／Ｋ１のリアルタイムな値を計算することができる。従って、プロセッサ１０６は電池２３０＿１〜２３０＿４の電池電圧をより正確に計算することができる。
【００９３】
図５は、本発明の一実施形態による、バッテリー監視システム２００によって実行される動作例のフローチャート５００を表わす。図５は、図１Ａ、図１Ｂ、および図２と組み合わせて説明される。
【００９４】
ブロック５０２において、バッテリー監視システム２００は、信号シフト回路１０２の第１入力端子１１０＿１における第１入力信号ＶＩＮ１と、信号シフト回路１０２の第１出力端子１２０＿１における第１出力信号ＶＯＵＴ１との間のレベル差を第１の所定レベルＶＰＲＥ１に設定する。
【００９５】
ブロック５０４において、バッテリー監視システム２００は、第１入力信号ＶＩＮ１と信号シフト回路１０２の第２入力端子１１０＿２における第２入力信号ＶＩＮ２との間のレベル差を第２の所定レベルＶＰＲＥ２に設定する。
【００９６】
ブロック５０６において、プロセッサ１０６は第１の所定レベルＶＰＲＥ１と第２の所定レベルＶＰＲＥ２に基づいて信号シフト回路１０２の誤差要因を示すパラメータ、例えば、ＶＯＳ、Ｋ４、Ｋ５、等を計算する。
【００９７】
ブロック５０８において、プロセッサ１０６は、パラメータに従って、かつ、第１出力信号ＶＯＵＴ１と信号シフト回路１０２の第２出力端子１２０＿２における第２出力信号ＶＯＵＴ２との間のリアルタイムなレベル差に従って、第１入力信号ＶＩＮ１と第２入力信号ＶＩＮ２との間のリアルタイムなレベル差を計算する。例えば、プロセッサ１０６は、パラメータＶＯＳ、Ｋ４、およびＫ５に従って、かつ、リアルタイムなレベルＶＤ（ｎ）またはＶ’Ｄ（ｎ）に従って、電池２３０＿１〜２３０＿４の各セルの一端から他端への電圧を計算する。
【００９８】
従って、本発明による実施形態は信号監視システムおよびバッテリー監視システムを提供する。信号シフト回路は１つまたは複数の誤差要因を有しうる。環境条件が変動するに連れて、信号シフト回路の誤差要因は変動しうる。好ましくは、プロセッサは信号シフト回路を制御して所定の基準信号を受け、信号シフト回路の対応する出力信号を測定する。上述した数式に基づいて、プロセッサは誤差要因を示す１つまたは複数のパラメータを計算する。信号監視システムはバッテリー監視システム内に実装され、電池の集合の電池電圧を監視することができる。計算されたパラメータに基づいて、電池電圧はより正確に監視される。
【００９９】
上述した説明および図面は本発明の実施形態を表わすが、添付の特許請求の範囲において定義される本発明の原理の思想および範囲から逸脱することなく、各種の付加、変形、および代替を行うことが可能であることが理解される。この技術分野の当業者は、本発明の原理から逸脱することなく特定の環境および動作条件に特に適合する、本発明の実施において使用される、形状、構造、配置、比率、物質、要素、および部材の多数の変形その他とともに本発明を使用可能であることを理解する。従って、ここで開示された実施形態は、あらゆる点で例示であり、限定でないと解釈されるべきであり、本発明の範囲は、添付の特許請求の範囲およびその均等物によって示され、上述した説明に限定されない。
【符号の説明】
【０１００】
１００  信号監視システム
１０２  信号シフト回路
１０４  アナログ・デジタル変換器
１０６  プロセッサ
１１０＿１  第１入力端子
１１０＿２  第２入力端子
１１２  オペアンプ
１２０＿１  第１出力端子
１２０＿２  第２出力端子
１３０  信号供給回路
１４２  デジタル信号
２００  バッテリー監視システム
２０８  基準信号源
２１４＿１、２１４＿２、２１４＿３、２１４＿４、２１６＿１、２１６＿２、２１６＿３、２１６＿４  スイッチ
２１８  バッファ
２２２  スイッチ回路
２３０  バッテリーパック
２３０＿１、２３０＿２、２３０＿３、２３０＿４  電池
２４６  マルチプレクサ
【図１Ａ】
2011138504.tif 000026
【図１Ｂ】
2011138504.tif 000027
【図２】
2011138504.tif 000028
【図３】
2011138504.tif 000029
【図４】
2011138504.tif 000030
【図５】
2011138504.tif 000031
【外国語明細書】
2011138504.tif 000032
2011138504.tif 000033
2011138504.tif 000034
2011138504.tif 000035
2011138504.tif 000036
2011138504.tif 000037
2011138504.tif 000038
2011138504.tif 000039
2011138504.tif 000040
2011138504.tif 000041
2011138504.tif 000042
2011138504.tif 000043
2011138504.tif 000044
2011138504.tif 000045
2011138504.tif 000046
2011138504.tif 000047
2011138504.tif 000048
2011138504.tif 000049
2011138504.tif 000050
2011138504.tif 000051
2011138504.tif 000052
2011138504.tif 000053
2011138504.tif 000054
2011138504.tif 000055
2011138504.tif 000056
2011138504.tif 000057
2011138504.tif 000058
2011138504.tif 000059
2011138504.tif 000060
2011138504.tif 000061
2011138504.tif 000062
2011138504.tif 000063
2011138504.tif 000064
2011138504.tif 000065
2011138504.tif 000066
2011138504.tif 000067
2011138504.tif 000068
2011138504.tif 000069
2011138504.tif 000070